(57)【要約】【課題】二次元コードの偽造防止が可能なチケットを発券できる発券機、チケットの製造方法、及び二次元コード印刷装置を提供することである。【解決手段】実施形態の発券機は、印刷部を持つ。印刷部は、一部に着色部を備えるチケット原紙に、チケットに関するチケット情報を含む二次元コードを、前記着色部と可視光の反射特性が近く可視光以外の反射特性が異なるインクで、前記着色部から一部がはみ出すように印刷する。【選択図】図１
2015165342.tif 000002
【特許請求の範囲】
【請求項１】
一部に着色部を備えるチケット原紙に、チケットに関するチケット情報を含む二次元コードを、前記着色部と可視光の反射特性が近く可視光以外の反射特性が異なるインクで、前記着色部から一部がはみ出すように印刷する印刷部を備える発券機。
【請求項２】
前記着色部からはみ出す前記二次元コードの領域は、前記二次元コードから情報を読み取る読取装置が前記チケット情報を読み取りできない大きさ又は部位に応じて予め決められている請求項１に記載の発券機。
【請求項３】
前記二次元コードは、当該二次元コードの位置を検出するための複数のシンボルを含み、
前記印刷部は、少なくとも１つの前記シンボルが前記着色部と重なり合う位置に前記二次元コードを印刷する請求項１又は２に記載の発券機。
【請求項４】
前記着色部は、一部に隙間を含む模様を備え、
前記印刷部は、前記着色部と同一の位置に前記二次元コードを印刷する請求項１から３のうちいずれか一項に記載の発券機。
【請求項５】
前記着色部は、前記チケットが複写された場合に重なり合う前記二次元コードの識別力を低下させる特性を備える請求項１から４のうちいずれか一項に記載の発券機。
【請求項６】
前記着色部は、前記二次元コードから情報を読み取る読取装置が前記着色部と重なり合う前記二次元コードから前記チケット情報を読み取り可能な特性を備える請求項１から５のうちいずれか一項に記載の発券機。
【請求項７】
チケットに関するチケット情報を含む二次元コードをチケット原紙に印刷し、前記二次元コードと可視光の反射特性が近く可視光以外の反射特性が異なるインクで、前記二次元コードから一部がはみ出すように着色部を印刷する印刷部を備える発券機。
【請求項８】
一部に着色部を備えるチケット原紙を所定の印刷位置に位置させるステップと、
チケットに関するチケット情報を含む二次元コードを、前記着色部と可視光の反射特性が近く可視光以外の反射特性が異なるインクで、前記着色部から一部がはみ出すように印刷するステップと、
を備えるチケットの製造方法。
【請求項９】
一部に着色部を備える媒体に、所定の情報を含む二次元コードを、前記着色部と可視光の反射特性が近く可視光以外の反射特性が異なるインクで、前記着色部から一部がはみ出すように印刷する印刷部を備える二次元コード印刷装置。
【発明の詳細な説明】
【技術分野】
【０００１】
本発明の実施形態は、発券機、チケットの製造方法、及び二次元コード印刷装置に関する。
【背景技術】
【０００２】
施設の入口ゲート又は出力ゲートに設けられた読取装置が、二次元コードが印刷されたチケットを読み取り、二次元コードに記録された情報が有効である場合、入場又は出場を許可する技術がある。この技術によると、磁気券等の特別紙を用意することなく、チケットとして普通の紙を使用することができる。また近年、二次元コードを読み取る技術は多くの分野で利用されており、読取装置も普及してきている。よって、二次元コードが印刷されたチケットを用いることで、簡単に入場又は出場を管理できる。しかしながら、二次元コードが例えば複写機によって偽造された場合であっても、入口ゲート又は出口ゲートに設けられた読取装置は、偽造されたチケットの二次元コードから有効な情報を読み取るため、偽造されたチケットの不正使用を防止できないという問題があった。
【先行技術文献】
【特許文献】
【０００３】
【特許文献１】特開平８−１３８０８７号公報
【発明の概要】
【発明が解決しようとする課題】
【０００４】
本発明が解決しようとする課題は、二次元コードの偽造防止が可能なチケットを発券できる発券機、チケットの製造方法、及び二次元コード印刷装置を提供することである。
【課題を解決するための手段】
【０００５】
実施形態の発券機は、印刷部を持つ。印刷部は、一部に着色部を備えるチケット原紙に、チケットに関するチケット情報を含む二次元コードを、前記着色部と可視光の反射特性が近く可視光以外の反射特性が異なるインクで、前記着色部から一部がはみ出すように印刷する。
【図面の簡単な説明】
【０００６】
【図１】実施形態の発券機１００の構成例を示すブロック図である。
【図２】実施形態の発券機１００により発券されるチケット３００の一例を示す図である。
【図３】実施形態の発券機１００による発券処理の一例について説明するためのフローチャートである。
【図４】実施形態のチケット３００の他の例であるチケット３０１１について説明するための図である。
【図５】実施形態のチケット３００の他の例であるチケット３０３２について説明するための図である。
【図６】二次元コードの切り出しシンボルの一例を説明する図である。
【図７】実施形態のチケット３００の他の例であるチケット３０４１について説明するための図である。
【発明を実施するための形態】
【０００７】
以下、実施形態の発券機１００を、図面を参照して説明する。
図１は、実施形態に係る発券機１００の構成例を示すブロック図である。実施形態に係る発券機１００は、チケット情報を含む二次元コードが印刷されたチケット３００を発券する。入口ゲート又は出口ゲートに設置され、二次元コードを読み取る読取装置は、発券機１００により発券されたチケット３００から読み取ったチケット情報に基づき、所定の処理を実行する。例えば、読取装置は、チケット情報に含まれる情報が有効か否かを判定する。チケット情報が有効であると判定した場合、読取装置は、入場又は出場を許可する。読取装置としては、二次元コードを読み取る一般的な装置が利用可能である。
【０００８】
発券機１００は、入口ゲート又は出口ゲートの付近に設置され、チケット３００を利用する利用者や、チケット３００を発券する係員等により操作される。
実施形態において、発券機１００は、料金処理装置２００と通信可能に接続されている。料金処理装置２００は、投入された貨幣の金額を計算し、購入が指示されたチケット３００の料金を投入された貨幣で支払う支払処理を実行する。料金処理装置２００は、支払処理が完了した場合、支払処理が完了したことを示す完了通知を発券機１００に送信するとともに、釣り銭の出力や領収書の発行等を行う。
【０００９】
発券機１００は、操作部１と、表示部２と、通信部３と、チケット原紙収容部４と、チケット搬送機構５と、印刷部６と、チケット排出部７と、センサー８と、メモリ９と、ＣＰＵ（Central Processing Unit）１０とを備える。
操作部１は、利用者や係員等の発券者からの操作を受け付け、受け付けた操作内容を示す情報を出力する。
表示部２は、発券機１００による処理結果や発券者への操作案内を表示する。
通信部３は、例えばチケット３００の支払処理を実行する料金処理装置２００等の外部装置と接続されている。
【００１０】
チケット原紙収容部４は、シート状媒体であって、少なくとも一方の面の一部に着色部を備えるチケット原紙３００Ａを、複数枚分収容する。実施形態において、チケット原紙収容部４は、複数枚分のチケット原紙３００Ａが連続した用紙がロール状に巻き付けられたチケット用紙を保持し、操作部１から入力される発券指示に基づき、指示された枚数のチケット原紙３００Ａを切り離してチケット搬送機構５に排出する。
チケット搬送機構５は、例えば、搬送ベルト等を備え、搬送ベルトを移動させることで、搬送ベルトに載置されたチケット原紙３００Ａを搬送する構成である。チケット搬送機構５は、チケット原紙収容部４からのチケット原紙３００Ａを印刷部６による印刷位置まで搬送し、印刷部６により二次元コードが印刷されたチケット３００をチケット排出部７まで搬送する。なお、印刷部６による印刷位置は予め決められており、チケット搬送機構５は、チケット原紙収容部４から排出された位置から所定距離だけチケット原紙３００Ａを搬送することで、チケット原紙３００Ａを印刷位置まで搬送する。
【００１１】
印刷部６は、チケット搬送機構５により印刷位置まで搬送されたチケット原紙３００Ａに対して、二次元コードの一部が着色部からはみ出す（露出する）ように二次元コードを印刷する。実施形態において、印刷部６がチケット原紙３００Ａに対して二次元コードを印刷する位置は、チケット原紙３００Ａが備える着色部との位置関係に応じて予め決められている。例えば、印刷部６により印刷される二次元コードの一部分がチケット原紙３００Ａの隠蔽層から露出する位置と予め決められている。着色部から露出する二次元コードの領域は、二次元コードを読み取る読取装置がチケット情報を読み取りできない大きさ又は部位に応じて予め決められている。
【００１２】
チケット排出部７は、印刷部６により二次元コードが印刷されたチケット３００を排出する。
センサー８は、印刷位置に位置されたチケット３００の位置、又は、チケット３００に形成された着色部３０１の位置を検出する検出部である。なお、着色部３０１に模様が形成されている場合、センサー８は、模様内の特徴点を示す情報を検出するものでもよい。
メモリ９は、発券機１００の動作に必要な種々の情報を記憶する。例えば、メモリ９は、発券機１００により発券されるチケット３００に関する情報として、入口ゲートに関する情報、出口ゲートに関する情報、利用料金に関する情報等を記憶する。また、メモリ９は、ＣＰＵ１０による情報処理に利用される情報を一時的に記憶する。
【００１３】
ＣＰＵ１０は、発券機１００の動作を統括的に制御する制御部である。発券機１００は、ＣＰＵ１０がプログラムを実行することにより機能する機能部として、発券制御部１０１と、搬送制御部１０２と、印刷制御部１０３と、を備える。また、これら機能部の一部又は全部は、ＬＳＩ（Large Scale Integration）やＡＳＩＣ（Application Specific Integrated Circuit）などのハードウェア機能部であってもよい。
【００１４】
発券制御部１０１は、例えば、操作部１を介して発券処理の実行が指示された場合、通信部３を介して支払完了の通知を受け付けた後、チケット３００を発行する発券制御を実行する。発券制御部１０１は、発券制御において、搬送制御部１０２と印刷制御部１０３とを制御する。具体的に説明すると、発券制御部１０１は、操作部１を介して指示された指示内容に応じた枚数のチケット原紙３００Ａを搬送させるよう搬送制御部１０２を制御する。発券制御部１０１は、メモリ９を参照して操作部１を介して指示された指示内容に応じたチケット情報を作成し、印刷位置に到達したチケット原紙３００Ａに対して、チケット情報を含む二次元コードを印刷するよう印刷制御部１０３を制御する。チケット情報には、施設への入場又は出場に関する情報が含まれており、例えば、入口ゲートに関する情報、出口ゲートに関する情報、利用料金に関する情報、発券日時に関する情報、利用者の属性（大人、子人、性別、年齢等）に関する情報等が含まれる。
【００１５】
搬送制御部１０２は、発券制御部１０１から指示された枚数のチケット原紙３００Ａをチケット原紙収容部４から取り出し、所定の間隔をあけて印刷位置まで搬送させ、印刷部６により印刷されたチケット３００をチケット排出部７から排出させるよう、チケット原紙収容部４とチケット搬送機構５を制御する。実施形態において、搬送制御部１０２は、印刷位置までチケット原紙３００Ａを搬送した場合、搬送を停止させ、印刷が終了した後、再びチケット３００を搬送するようチケット搬送機構５を制御する。
【００１６】
印刷制御部１０３は、発券制御部１０１から指示された枚数のチケット原紙３００Ａに対して、発券制御部１０１により作成された二次元コードを印刷するよう印刷部６を制御する。実施形態において、印刷制御部１０３は、チケット搬送機構５により搬送されるチケット原紙３００Ａの印刷位置に対して予め決められている二次元コードの位置に、二次元コードを印刷するよう印刷部６を制御する。
【００１７】
次に、図２を参照して、発券機１００により発券されるチケット３００の一例について説明する。図２は、発券機１００により発券されるチケット３００の一例を示す図である。
チケット３００には、予め着色部３０１が設けられている。チケット３００の２面のうち着色部３０１が設けられる面には、着色部３０１の一部と重なり合うように二次元コード３０２が発券機１００により印刷されている。
【００１８】
チケット３００は、長方形に形成されたシート状の紙であって、長辺３０３と短辺３０４とを備える。着色部３０１は、チケット３００の長辺３０３方向の一端に設けられ、短辺３０４の方向に長い帯状の画像である。着色部３０１は、例えば、二次元コード３０２の色と同一色でべた塗された画像である。着色部３０１は、二次元コード３０２と可視光の反射特性が近く可視光以外の反射特性が異なるインクで、印刷される。言い換えると、着色部３０１は、重なり合う二次元コード３０２の視覚による識別力を低下させる特性を備える。また、着色部３０１は、二次元コード３０２から情報を読み取る読取装置が着色部３０１と重なり合う二次元コードからチケット情報を読み取り可能な特性とを有する。
【００１９】
図示の例では、着色部３０１は、例えば、可視光の下では二次元コード３０２と同一色の光を反射する特性を有する。
また、着色部３０１は、読取装置が着色部３０１と重なり合う二次元コードからチケット情報を読み取り可能な特性として、可視光以外の特定の光を照射した場合、照射された光を透過する特性を有する。これにより、読取装置は、着色部３０１を透過する特性を有する光をチケット３００に照射することで、二次元コード３０２からの反射光に基づき、二次元コード３０２からチケット情報を読み取ることができる。
【００２０】
着色部３０１から露出する二次元コード３０２の領域は、二次元コード３０２から情報を読み取る読取装置がチケット情報を読み取りできない大きさに応じて予め決められている。実施形態において、印刷部６は、チケット３００に印刷される二次元コード３０２の印刷領域のうち、予め決められた露出割合に相当する領域が着色部３０１から露出する位置に、二次元コード３０２を印刷する。露出割合は、二次元コード３０２の読取装置が着色部３０１から露出している二次元コード３０２からチケット情報を読み取り不可能な割合であって、予め決められており、例えば３５％である。このように、二次元コード３０２の一部が着色部３０１から露出しているため、利用者は、チケット３００に印刷された二次元コード３０２の位置を簡単に見つけることができる。
【００２１】
チケット３００には、他にも、チケット３００の料金や、有効期限、行き先等が印刷されている。これらの情報は、印刷部６が二次元コード３０２を印刷するときに、印刷部６によってチケット３００に印刷される。
【００２２】
次に、図３を参照して、発券機１００による発券処理の一例について説明する。図３は、発券機１００による発券処理の一例について説明するためのフローチャートである。
発券制御部１０１は、操作部１を介して、発券が指示されたか否かを判定する（ステップＳＴ１）。発券制御部１０１は、発券が指示されるまで、ステップＳＴ１の処理を繰り返し、待機している。
操作部１を介して発券が指示された場合（ステップＳＴ１：ＹＥＳ）、発券制御部１０１は、指示されたチケット３００の支払処理の実行を、料金処理装置２００に対して指示する（ステップＳＴ２）。例えば、操作部１を介して、発券機１００が設置される現在地から「ソメイヨシノ」までの切符を２枚発券することが指示された場合、発券制御部１０１は、メモリ９を参照して、２枚分の「ソメイヨシノ」までの切符の料金を算出する。実施形態において、「ソメイヨシノ」までの切符は２００円であって、発券制御部１０１は、合計金額４００円の支払処理の実行を料金処理装置２００に対して指示する。
【００２３】
発券制御部１０１は、料金処理装置２００から、支払完了の通知を入力したか否かを判定する（ステップＳＴ３）。料金処理装置２００は、ステップＳＴ２において生成された発券機１００からの指示に従い、投入された金額が合計金額４００円以上である場合、支払完了の通知を発券機１００に送信する。
支払完了の通知を入力した場合（ステップＳＴ３：ＹＥＳ）、発券制御部１０１は、発券が指示されたチケット３００のチケット情報を生成し、チケット情報を含む二次元コード３０２のデータを印刷制御部１０３に出力する（ステップＳＴ４）。また、発券制御部１０１は、支払処理された枚数のチケット原紙３００Ａを所定の印刷位置まで搬送するよう搬送制御部１０２を制御する。
【００２４】
搬送制御部１０２は、２枚のチケット原紙３００Ａをチケット原紙収容部４から取り出し、所定の間隔をあけて所定の印刷位置まで搬送する（ステップＳＴ５）。そして、印刷制御部１０３は、入力した二次元コード３０２のデータに基づき、二次元コード３０２を印刷するよう印刷部６に指示する。
印刷部６は、印刷位置に停止しているチケット原紙３００Ａの予め決められた位置に、二次元コード３０２を印刷する（ステップＳＴ６）。これにより、印刷部６は、露出割合に相当する領域が着色部３０１から露出する位置に、二次元コード３０２を印刷する。
【００２５】
発券制御部１０１は、チケット原紙収容部４から取り出された全てのチケット原紙３００Ａに対する二次元コード３０２の印刷が終了したかどうかを判定する（ステップＳＴ７）。全てのチケット原紙３００Ａに対する印刷が終了していない場合、発券制御部１０１は、ステップＳＴ５に戻って処理を繰り返す。これにより、印刷部６は、残りのチケット原紙３００Ａに二次元コード３０２を印刷する。
【００２６】
上記実施形態において、着色部３０１は、読取装置が着色部３０１と重なり合う二次元コード３０２からチケット情報を読み取り可能な特性を備えると説明したが、これに限られない。着色部３０１は、チケット３００が光学系の複写機により複写された場合に重なり合う二次元コード３０２の識別力を低下させる特性をさらに備えてもよい。この例について、図４を参照して具体的に説明する。図４（Ａ）は、上述のチケット３００の他の例であるチケット３０１１を示す図である。図４（Ｂ）は、チケット３０１１を複写機により複写した複写物３０１２を示す図である。
【００２７】
図４（Ａ）に示す通り、チケット３０１１には、着色部３０１３の一部と重なり合うように二次元コード３０２が印刷されている。つまり、二次元コード３０２の一部が、着色部３０１３から露出している。着色部３０１３には、可視光の下では重なり合う二次元コード３０２の一部を透過的に表示させる模様であって、チケット３０１１が複写された場合に重なり合う二次元コード３０２を遮蔽する模様が形成されている。例えば、この模様としては、複写が禁止されているものに用いられる一般的な模様が利用可能である。このチケット３０１１が複写機により複写された場合、図４（Ｂ）の示す通り、複写であることを示す文字（例えば、ＣＯＰＹ）が浮き出た着色部３０１４が印刷される。着色部３０１４に浮き出たＣＯＰＹの文字と二次元コード３０２とが重なり合うことにより、二次元コード３０２の読取装置が二次元コード３０２からチケット情報を読み取ることを阻害できる。また、着色部３０１３の模様はべた塗ではないため、重なり合う二次元コード３０２の一部を透過的に視認させることが可能であり、利用者は、チケット３０１１に印刷された二次元コード３０２の全体の位置を簡単に見つけることができる。
【００２８】
上記実施形態において、着色部３０１の特性としては、二次元コード３０２の読取装置の読み取り方法によって種々な特性が適用可能である。
上記において、着色部３０１は、可視光以外の特定の光を透過する特性を備えることにより、着色部３０１と重なり合う二次元コード３０２から読取装置がチケット情報を読み取り可能な特性を備えると説明したが、これに限られない。例えば、着色部３０１は、可視光以外の特定の光が照射された場合、二次元コード３０２と異なる波長の光を反射する特性でもよい。この場合、読取装置は、着色部３０１から反射する反射光と、二次元コード３０２から反射する反射光とを、光の波長の違いに応じて分離し、二次元コード３０２の反射光だけを抽出できる。また、着色部３０１と二次元コード３０２との濃度やドットの配置に差異を設けることで、着色部３０１及び二次元コード３０２からの反射光に基づき生成される画像を画像処理したときに、着色部３０１と二次元コード３０２とを分離して二次元コード３０２を抽出できる態様でもよい。
【００２９】
また、着色部３０１は、例えば、可視光の下では二次元コード３０２と同一色の光を反射する特性を有すると説明したが、これに限られず、可視光の反射特性が近いものでもよい。
例えば、着色部３０１の色は、可視光の下では二次元コード３０２よりも、彩度又は明度が低い色（例えば、暗い色、濃い色、くすんだ色）の光を反射する色でもよい。着色部３０１の色よりも彩度又は明度が低い色の二次元コード３０２が重なり合うことにより、二次元コード３０２の全体位置を透過的に視認させるとともに、重なり合う二次元コード３０２の視覚による識別力を低下させることができる。これにより、二次元コード３０２の偽造を防止することができるとともに、利用者は、チケット原紙３００Ａに印刷された二次元コード３０２の全体の位置を簡単に見つけることができる。
【００３０】
上記実施形態において、印刷制御部１０３は、二次元コード３０２の色と同一色でべた塗された画像を着色部３０１としてチケット原紙３００Ａに印刷すると説明したが、これに限られない。例えば、印刷制御部１０３は、一部に隙間を含む模様を備える着色部３０３１を備えるチケット３０３２に対して、着色部３０３１と同一の位置に二次元コード３０２を印刷してもよい。この例について、図５を参照して具体的に説明する。図５は、上述のチケット３００の他の例であるチケット３０３２を示す図である。
図５に示す通り、チケット３０３２には、着色部３０３１と同一の大きさの二次元コード３０２が、着色部３０３１と同一の位置に印刷されている。図示の例において、着色部３０３１は、市松模様であって、例えば二次元コード３０２と同一の色の矩形模様が交互に並んでいるおり、矩形模様の間には、隙間が形成されている。着色部３０３１の隙間からは、二次元コード３０２が露出している。これにより、着色部３０３１は、二次元コード３０２の一部を露出させることで二次元コード３０２の全体位置を透過的に視認させるとともに、重なり合う二次元コード３０２の識別力を低下させることができる。よって、二次元コード３０２の偽造を防止できるとともに、利用者は、チケット３０３２に印刷された二次元コード３０２の全体の位置を簡単に見つけることができる。なお、着色部３０３１の模様はこれに限られず、隙間を有する模様であれば、ボーダー柄やドット模様等であってもよい。
【００３１】
上記実施形態において、印刷制御部１０３は、予め決められた露出割合に相当する領域が露出する位置に、二次元コード３０２を印刷すると説明したが、露出割合は、二次元コード３０２と着色部３０１との位置関係により任意に設定可能である。
【００３２】
着色部３０１から露出する二次元コード３０２の領域は、二次元コード３０２を読み取る読取装置がチケット情報を読み取りできない部位に応じて予め決められているものでもよい。例えば、二次元コード３０２に含まれる３隅の四角い切り出しシンボル（位置決めパターン、ファインダパターン）のうち少なくとも１つが隠れる位置で着色部３０１と二次元コード３０２とが重なり合う場合、二次元コード３０２の読取装置は、二次元コード３０２を検出することができず、チケット情報を読み取ることができない。印刷制御部１０３は、読取装置がチケット情報を読み取りできない部位（例えば、少なくとも１ヶ所以上のシンボル）に応じて、着色部３０１に対して二次元コード３０２が印刷される位置を決定してもよい。
【００３３】
図６，７を参照して具体的に説明する。図６は、二次元コード３０２の切り出しシンボルの一例を説明する図である。図７は、上述のチケット３００の他の例であるチケット３０４１を示す図である。切り出しシンボルとは、読取装置が、二次元コード３０２からチケット情報を読み取るときに二次元コード３０２の位置を検出するための情報である。つまり、読取装置は、切り出しシンボルに基づき二次元コード３０２の位置を検出しなければ、二次元コード３０２からチケット情報を読み取ることができない。
図６に示す通り、二次元コード３０２は、３隅に切り出しシンボル３０２１，３０２２，３０２３を含む。図７に示す通り、チケット３０４１では、二次元コード３０２の切り出しシンボルのうち２つの切り出しシンボル３０２１，３０２３が隠れる位置で着色部３０４２と二次元コード３０２とが重なり合う。印刷制御部１０３は、切り出しシンボル３０２１，３０２３が着色部３０４２と重なり合い、切り出しシンボル３０２２側の二次元コード３０２の一部が露出する位置に、二次元コード３０２を印刷する。これにより、印刷部６は、二次元コード３０２の露出部分が着色部３０１と重なり合う部分の面積よりも広くなる位置に、二次元コード３０２を印刷できる。よって、二次元コード３０２の偽造を防止できるとともに、二次元コード３０２の視認面積が広くなるため、利用者は、チケット３０４１に印刷された二次元コード３０２の位置を簡単に見つけることができる。
【００３４】
上記実施形態において、印刷制御部１０３は、印刷位置に停止しているチケット３００の予め決められた位置に二次元コード３０２を印刷するように印刷部６を制御することにより、読取装置がチケット情報を読み取りできない大きさ又は部位に相当する二次元コード３０２の一部分を着色部３０１から露出する位置に二次元コード３０２を印刷させると説明したが、これに限られない。例えば、印刷制御部１０３は、センサー８によって検出されたチケット原紙３００Ａの着色部３０１の位置に基づき、露出割合に相当する領域が着色部３０１から露出する位置に二次元コード３０２を印刷させるよう印刷部６の印刷ヘッドの移動量を制御してもよい。また、印刷制御部１０３は、センサー８によって検出されたチケット原紙３００Ａの着色部３０１の位置に基づき、二次元コード３０２に含まれる切り出しシンボルが着色部３０１と重複する位置に二次元コード３０２を印刷させるよう印刷部６の印刷ヘッドの移動量を制御してもよい。
【００３５】
上記実施形態において、印刷制御部１０３は、二次元コードとしてＱＲコード（登録商標）を用いる例について説明したが、これに限られず、バーコードであってもよい。
【００３６】
上記実施形態において、発券機１００は、チケット３００として切符を発券する例について説明したが、これに限られず、チケット３００として、入場券、回数券、定期券、通行券、整理券等でもよい。また、チケット３００により入出又は出場を管理する施設としては、駅に限られず、テーマパーク、展示場、博物館、映画館等でもよい。
【００３７】
上記実施形態において、発券機１００と料金処理装置２００は、別構成の装置である例について説明したが、これに限られず、一体的に構成されてもよい。
【００３８】
上記実施形態において、発券機１００の構成を利用して、二次元コード印刷装置としてもよい。この二次元コード印刷装置は、発券機１００のチケットに換えて、商品の包装袋やシール等に、発券機１００と同様にして二次元コードを印刷する。つまり、二次元コード印刷装置は、所定の情報を含む二次元コードの一部が着色部から露出するように、着色部を表面に有する媒体の遮蔽層と重ねて、二次元コードを印刷する。また、二次元コードに含める情報は、どのようなものであってもよい。
【００３９】
上記実施形態において、発券機１００の印刷部６は、二次元コード３０２を印刷した後、着色部３０１を印刷する構成であってもよい。印刷部６は、二次元コード３０２と可視光の反射特性が近く可視光以外の反射特性が異なるインクで、二次元コード３０２から一部がはみ出すように着色部３０１を印刷する。
この場合、チケット原紙３００Ａは、着色部３０１を備えない一般的なチケット原紙が利用可能である。
また、印刷部６は、着色部３０１と二次元コード３０２とを印刷できる構成に限られず、着色部３０１として、二次元コード３０２と可視光の反射特性が近く可視光以外の反射特性が異なる特性を有する媒体をチケット原紙３００Ａに貼り付ける構成であってもよい。
【００４０】
上記実施形態において、着色部３０１と二次元コード３０２とは、互いの色が可視光の反射特性が近く、可視光以外の反射特性が異なるインクで印刷されていればよく、どのような色であってもよい。
【００４１】
以上説明した少なくともひとつの実施形態によれば、一部に着色部３０１を備えるチケット原紙３００Ａに二次元コード３０２を、着色部３０１と可視光の反射特性が近く可視光以外の反射特性が異なるインクで、着色部３０１から一部がはみ出すように印刷する印刷部６を持つことにより、二次元コードの偽造防止が可能なチケットを発券できる。また、着色部３０１から二次元コード３０２の一部がはみ出す位置に二次元コード３０２を印刷することにより、利用者は、チケット３００に印刷された二次元コード３０２の位置を簡単に見つけることができる。
【００４２】
また、着色部から露出する二次元コード３０２の領域は、二次元コード３０２を読み取る読取装置がチケット情報を読み取りできない大きさ又は部位に応じて予め決められている。これにより、二次元コード３０２の一部が着色部３０１から露出している場合であっても、チケット３００の二次元コード３０２が偽造されることを防止できる。
【００４３】
また、印刷部６は、切り出しシンボル３０２１〜３０２３のうち少なくとも１つの切り出しシンボル３０２１，３０２３が着色部３０４２と重なり合う位置に二次元コード３０２を印刷する。これにより、二次元コード３０２の一部が着色部３０１から露出している場合であっても、チケット３００の二次元コード３０２が偽造されることを防止できる。
【００４４】
また、印刷部６は、一部に隙間を含む模様を備えた着色部３０３１と同一の位置に二次元コード３０２を印刷する。これにより、着色部３０３１により二次元コード３０２が隠されている状態であっても、利用者は、二次元コード３０２の全体の大きさを認識することができ、且つ、一部の隙間から二次元コード３０２の一部が見えることにより、チケット３０３２に印刷された二次元コード３０２の位置を簡単に見つけることができる。
【００４５】
上記各実施形態の発券機１００は、装置内部に本実施形態を実施するための機能（プログラム）が予め設定されている場合について説明したが、これに限らず同様の機能（プログラム）をネットワークから装置にダウンロードしても良いし、同様の機能（プログラム）を記録媒体に記憶させたものを装置にインストールしてもよい。記録媒体としては、光ディスク、ＵＳＢメモリ等のプログラムを記憶でき、かつ装置が読み取り可能な記録媒体であれば、その形態は何れの形態であっても良い。またこのように予めインストールやダウンロードにより得る機能は装置内部のＯＳ（オペレーティング・システム）等と共働してその機能を実現させるものであってもよい。
【００４６】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４７】
１…操作部、２…表示部、３…通信部、４…チケット原紙収容部、５…チケット搬送機構、６…印刷部、７…チケット排出部、８…センサー、９…メモリ、１０…ＣＰＵ、１００…発券機、１０１…発券制御部、１０２…搬送制御部、１０３…印刷制御部、２００…料金処理装置、３００…チケット、３００Ａ…チケット原紙、３０１…着色部、３０２…二次元コード、３０３…長辺、３０４…短辺、３０１１…チケット、３０１２…複写物、３０１３…着色部、３０１４…着色部、３０２１…切り出しシンボル、３０２２…切り出しシンボル、３０２３…切り出しシンボル、３０３１…着色部、３０３２…チケット、３０４１…チケット、３０４２…着色部
【図１】
2015165342.tif 000003
【図２】
2015165342.tif 000004
【図３】
2015165342.tif 000005
【図４】
2015165342.tif 000006
【図５】
2015165342.tif 000007
【図６】
2015165342.tif 000008
【図７】
2015165342.tif 000009